(57)【要約】【課題】高温の結露水を確実に吸水体に吸収させることができる安全なスチーム式美容器を提供すること。【解決手段】本体２に設けられると共に仰角を調整可能なノズル６と、このノズル６におけるスチーム通路３２の最狭部３３の出口側に設けられた吸水体２８とを有するスチーム式美容器１において、前記スチーム通路３２の最狭部３３から前記吸水体２８へ結露水Ｃを導く導水体３４を設けたことにより、前記ノズル６のスチーム通路３２の最狭部３３に発生した結露水Ｃが大きな水滴Ｂとなる前に、スチーム流Ｓに押されて前記導水体３４に沿って前記スチーム通路３２の最狭部３３の出口側に設けられた前記吸水体２８に導かれ、この吸水体２８で吸収されるので、熱い結露水Ｃが勢いよく噴出して顔等にかかることを防止することができる。【選択図】図７
2010253059.tif 000002
【特許請求の範囲】
【請求項１】
本体と、
この本体に設けられると共に仰角を調整可能なノズルと、
このノズルにおけるスチーム通路の最狭部の出口側に設けられた吸水体とを有するスチーム式美容器において、
前記スチーム通路の最狭部から前記吸水体へ結露水を導く導水体を設けたことを特徴とするスチーム式美容器。
【請求項２】
前記導水体が、前記最狭部の内径よりも細い金属線を折り曲げて形成されることを特徴とする請求項１記載のスチーム式美容器。
【請求項３】
前記導水体が、第一導水部と第二導水部とを有して構成されると共に、前記第一導水部が、前記スチーム通路の内周面における使用時に下側となる部分に沿って、前記スチーム通路と平行に配され、前記第二導水部が、前記スチーム通路の最狭部の出口から使用時に下側となる方向に延びることを特徴とする請求項２記載のスチーム式美容器。
【請求項４】
前記導水体に、前記スチーム通路における前記最狭部の入口側に、使用時に下側となる方向に前記第一導水部の先端を曲げて戻水部を形成したことを特徴とする請求項３記載のスチーム式美容器。
【発明の詳細な説明】
【技術分野】
【０００１】
本発明は、水を加熱することで発生させたスチームを肌に向けて噴射するスチーム式美容器に関するものである。
【背景技術】
【０００２】
従来、この種のスチーム式美容器としては、蒸気発生装置で発生させた蒸気を、蒸気吹出口（本願発明のノズルに相当する）から被施術者の顔に吹き付けるものが知られている（例えば、特許文献１参照。）。このようなスチーム式美容器では、前記蒸気吹出口内で蒸気が結露して高温の水滴になり、この水滴が蒸気流と共に前記蒸気吹出口から噴出して被施術者の顔にかかる虞があるので、前記蒸気吹出口の蒸気吹出口部に吸水体を設け、この吸水体によって水滴を吸水することで、水滴が前記蒸気吹出口から噴出しないように構成されている。
【先行技術文献】
【特許文献】
【０００３】
【特許文献１】特開２００５−１９２８１１号公報
【発明の概要】
【発明が解決しようとする課題】
【０００４】
しかしながら、このようなスチーム式美容器においては、噴出されるスチーム流に押し出される高温の結露水が、前記吸水体に上手く吸収されず、この吸水体を飛び超えて噴出される虞があった。
【０００５】
本発明は以上の問題点を解決し、結露水を確実に吸水体に吸収させることができる安全なスチーム式美容器を提供することを目的とする。
【課題を解決するための手段】
【０００６】
本発明の請求項１に記載のスチーム式美容器は、本体と、この本体に設けられると共に仰角を調整可能なノズルと、このノズルにおけるスチーム通路の最狭部の出口側に設けられた吸水体とを有するスチーム式美容器において、前記スチーム通路の最狭部から前記吸水体へ結露水を導く導水体を設けたものである。
【０００７】
また、本発明の請求項２に記載のスチーム式美容器は、請求項１において、前記導水体が、前記最狭部の内径よりも細い金属線を折り曲げて形成されるものである。
【０００８】
また、本発明の請求項３に記載のスチーム式美容器は、請求項２において、前記導水体が、第一導水部と第二導水部とを有して構成されると共に、前記第一導水部が、前記スチーム通路の内周面における使用時に下側となる部分に沿って、前記スチーム通路と平行に配され、前記第二導水部が、前記スチーム通路の最狭部の出口から使用時に下側となる方向に延びるものである。
【０００９】
更に、本発明の請求項４に記載のスチーム式美容器は、請求項３において、前記導水体に、前記スチーム通路における前記最狭部の入口側に、使用時に下側となる方向に前記第一導水部の先端を曲げて戻水部を形成したものである。
【発明の効果】
【００１０】
本発明の請求項１に記載のスチーム式美容器は、以上のように構成することにより、前記ノズルのスチーム通路の最狭部に発生した結露水が大きな水滴となる前に、噴出されるスチームに押されて前記導水体に沿って前記スチーム通路の最狭部の出口側に設けられた前記吸水体に導かれ、この吸水体で吸収されるので、熱い結露水が勢いよく噴出して顔等にかかることを防止することができる。
【００１１】
また、前記スチーム通路の最狭部の内径よりも細い金属線を折り曲げて前記導水体を形成したことで、前記導水体を容易且つ安価に形成することができる。
【００１２】
また、前記導水体が、前記スチーム通路の内周面における使用時に下側となる部分に沿って前記スチーム通路と平行に配される第一導水部と、前記スチーム通路の最狭部の出口から使用時に下側となる方向に延びる第二導水部とを有して構成されることで、前記スチーム通路で発生した結露水が、前記最狭部の内壁に沿って流下し、前記第一導水部に沿って前記最狭部から押し出された後、前記第二導水部に沿って流下し、前記吸水体に吸収されるので、結露水を確実に前記吸水体まで導くことができる。また、結露水が、前記最狭部の内壁と前記第一導水部との間に形成された微細な溝に吸引されるので、前記導水部の周囲で結露水が大きな水滴に成長しにくく、熱い結露水が勢いよく噴出して顔等にかかることをより確実に防止することができる。
【００１３】
更に、前記スチーム通路の前記最狭部の入口側に、使用時に下側となる方向に、前記導水体の第一導水部の先端を曲げて戻水部を形成したことで、スチーム式美容器の使用後、前記スチーム通路で発生した結露水を、前記最狭部の内壁に沿って流下させ、前記第一導水部に沿って前記最狭部から下向きの前記戻水部に沿って前記本体内に戻すことができる。
【図面の簡単な説明】
【００１４】
【図１】本発明の一実施形態を示すスチーム式美容器の正面図である。
【図２】同、平面図である。
【図３】同、右側面図である。
【図４】同、蓋体を切り欠いた右側面図である。
【図５】同、蓋体を開いた状態における右側面図である。
【図６】同、蝶番機構周辺の断面図である。
【図７】同、ノズルの断面図である。
【図８】同、ノズルの分解断面図である。
【図９】同、導水体の斜視図である。
【図１０】同、スチーム通路の最狭部を軸直方向から見た概略説明図である。
【図１１】同、スチーム通路の最狭部を入口側から見た概略説明図である。
【発明を実施するための形態】
【００１５】
以下、本発明の実施形態について、図１乃至図１１に基づいて説明する。１は本発明のスチーム式美容器である。このスチーム式美容器１は、本体２と、把持部３と、蓋体４とを有して構成されている。前記本体２の内部には、図示しないスチーム発生装置が設けられている。また、前記本体２の正面には、水位を視認するための窓５が設けられている。また、前記本体２の上部には、ノズル６が設けられている。このノズル６は、前記スチーム発生装置で発生したスチームを噴出するものである。そして、前記ノズル６は、前記本体２に対して仰角が調整可能に構成されている。また、前記本体２の上部には、スイッチ７が設けられており、このスイッチ７を操作することで、前記スチーム発生装置を作動させることができる。更に、前記本体２の上後部には、軸受部８が設けられている。そして、この軸受部８には、当接面９が設けられている。また、前記把持部３は、前記本体２に対して揺動可能に取り付けられている。
【００１６】
前記蓋体４は、前記本体２の上部に設けられたノズル６及びスイッチ７を覆うように、前記本体２に対して揺動可能に取り付けられている。前記蓋体４は、その内側にリブ１０によって囲まれた平面部１１を有しており、この平面部１１に平面鏡１２が取り付けられている。また、前記蓋体４の前上部には、貫通孔１３が形成されていると共に、前記蓋体４の後部にも、貫通孔１４が形成されている。更に、前記蓋体４の下後部には、前記本体２の軸受部８に対応して、軸受部１５が形成されている。そして、前記軸受部８と軸受部１５は、回動軸１６によって結合されている。即ち、前記軸受部８と軸受部１５と回動軸１６によって、蝶番機構１７が構成され、この蝶番機構１７によって、前記蓋体４が前記本体２に対して揺動可能となっている。なお、前記軸受部１５には、前記本体２の当接面９に対応して、当接面１８が形成されている。即ち、前記蓋体４は、その揺動によって前記当接面９と当接面１８とが当接することで、それ以上の揺動が阻止される。そして、この状態で、前記蓋体４の重心が前記蝶番機構１７よりも後方になるので、前記蓋体４は、その当接面１８が前記本体２の当接面９に当接した状態で開き続ける。
【００１７】
前記ノズル６について詳述する。このノズル６は、ノズル本体２１と、案内体２２を有して構成されている。前記ノズル本体２１は、図示しないスチームパイプを介して前記スチーム発生装置に接続される筒状部２３と、前記案内体２２を接続するための短円筒状の取付凸部２４と、前記筒状部２３から取付凸部２４にかけて、これら筒状部２３及び取付凸部２４と同軸に形成された貫通孔２５を有して構成されている。また、前記ノズル本体２１の取付凸部２４には、前記貫通孔２５の一部を構成する拡径部２６が形成されている。そして、前記貫通孔２５には、金属によって形成された円筒状のスリーブ２７が挿入されている。また、前記拡径部２６には、フェルト等の吸水性材料で形成された環状の吸水体２８が挿入されている。なお、この吸水体２８の外径は、前記拡径部２６の内径とほぼ等しく形成されている。一方、前記案内体２２は、外側に向かってラッパ状に拡径する案内部２９と、前記取付凸部２４と係合する取付凹部３０と、前記案内部２９と取付凹部３０とを連結する貫通口３１とを有して構成されている。なお、前記貫通口３１の内径は、前記拡径部２６の内径よりも小さく、前記スリーブ２７の内径よりも大きく、且つ前記吸水体２８の内径とほぼ等しくなるように形成されている。このため、前記ノズル本体２１に前記案内体２２を取り付けることで、これらノズル本体２１と案内体２２とで前記吸水体２８が挟持される。そして、前記貫通孔２５とそれに取り付けられたスリーブ２７、拡径部２６とそれに取り付けられた吸水体２８、貫通口３１、及び案内部２９によって、スチーム通路３２が構成されており、前記スリーブ２７の内側が最狭部３３となっている。なお、前記ノズル６は、図７に示すように、常に出口側が高くなるように傾斜した状態で、前記本体２に対して仰角を調整することができるように取り付けられている。
【００１８】
前記スチーム通路３２を通るように、導水体３４が取り付けられている。この導水体３４は、前記スリーブ２７、即ち前記最狭部３３の内径よりも細い一本の金属線を折り曲げて形成されている。このため、前記導水体３４は容易に且つ安価に形成される。そして、前記導水体３４は、図７及び図９に示すように、前記スチーム通路３２の軸方向とほぼ平行となる直線状の第一導水部３５と、この第一導水部３５の出口側に軸直方向に折り曲げられて形成された直線状の第二導水部３６と、前記第一導水部３５の入口側に折り曲げられて形成された直線状の戻水部３７と、前記第二導水部３６の先端部から前記スチーム通路３２の軸回りに延びる環状部３８とを有して構成されている。また、前記第一導水部３５は、図７に示すように、前記スチーム通路３２の中心軸と平行で且つ前記スリーブ２７の内周面２７Ａにおける前記スチーム式美容器１の使用時に下側となる部分に接するように、前記スチーム通路３２内に配されている。この際、前述したように、前記スリーブ２７の内周面２７Ａの内径よりも、前記第一導水部３５を構成する金属線の径が小さいので、図１１に示すように、前記内周面２７Ａと第一導水部３５の接点周辺に、微小な溝状部Ｇが形成される。また、前記第二導水部３６は、図７に示すように、前記スチーム通路３２の中心軸と直交し且つ前記拡径部２６における前記スチーム式美容器１の使用時に下側となる方向に延びるように、前記拡径部２６に配されている。また、前記戻水部３７は、図７に示すように、前記第一導水部３５の下端から前記スチーム式美容器１の使用時に下側となる方向に折り曲げられて形成されている。更に、前記環状部３８は、前記拡径部２６の内径とほぼ等しく形成されていると共に、前記拡径部２６と吸水体２８とで挟持されている。
【００１９】
次に、本実施形態の作用について説明する。まず、使用者は、前記蓋体４を開き、スチームを当てる身体の部位に合わせて、前記ノズル６の仰角を調節する。そして、使用者は、前記本体２内に所定量の水を溜め、前記スイッチ７を操作する。このスイッチ７の操作によって、図示しない前記スチーム発生装置でスチームが発生し、前記ノズル６から前記スチーム通路３２の中心軸線方向にスチームが噴射される。
【００２０】
前記ノズル６からスチームを噴射させ続けると、前記スチーム通路３２内でスチームが凝縮し、高温で液体状の結露水Ｃが発生する。この結露水Ｃの水滴Ｂは、図１０及び図１１に示すように、表面張力によって盛り上がっている。そして、この結露水Ｃの水滴Ｂが多数結合すると、この水滴Ｂが大きく成長し、スチーム流Ｓに押し出されて前記ノズル６から勢いよく噴出し、顔等にかかる虞があった。しかしながら、前記導水体３４の第一導水部３５が、最狭部３３である前記スリーブ２７の内周面２７Ａにおける、前記スチーム式美容器１の使用時に常時下側となる部分に接しているので、重力によって前記スリーブ２７の内周面２７Ａに沿って流下した前記水滴Ｂは、毛細管現象によって、前記スリーブ２７の内周面２７Ａと前記第一導水部３５とで形成された微小な前記溝状部Ｇに広い範囲で吸引保持される。この状態では、前記結露水Ｃは、前記スチーム通路３２の流通面積を殆ど狭めないので、スチーム流Ｓが結露水Ｃを勢いよく押し出すことがない。そして、更に水滴Ｂが流下して前記溝状部Ｇに結露水Ｃが溜まると、この溜まった結露水Ｃがスチーム流Ｓに押されて、前記溝状部Ｇから押し出される。この押し出された結露水Ｃは、前記第一導水部３５に接しているので、この第一導水部３５に沿って前記スリーブ２７（最狭部３３）の出口から外側に移動する。そして、前記第一導水部３５に沿って外側に移動した結露水Ｃは、前記第一導水部３５と一体に設けられた前記第二導水部３６に沿って、下方に、即ち前記吸水体２８に向かって流れる。更に、この第二導水部３６に沿って流れた結露水Ｃは、前記第二導水部３６と接する前記吸水体２８に吸収される。このように、結露水Ｃが前記導水体３４に沿って前記吸水体２８に送られるので、熱い結露水Ｃが前記ノズル６から勢いよく噴出して顔等にかかることを防止することができる。
【００２１】
そして、スチームを十分な時間肌に当てた後、使用者は前記スイッチ７を操作して、前記スチーム発生装置を停止させる。そして、前記スチーム発生装置内の水が十分冷めた後、前記蓋体４で前記ノズル６を覆う。このように、前記ノズル６が前記蓋体４で覆われることで、前記ノズル６は前記蓋体４によって保護される、また、前記ノズル６内にゴミ等が入ってしまう虞を減ずることができる。なお、前記スチーム発生装置内の水が十分冷えないまま前記蓋体４を閉じた場合、前記ノズル６からスチームが放出され続ける可能性がある。しかしながら、このような場合でも、前記スチームは前記貫通孔１３，１４から前記蓋体４外に放出される。従って、前記蓋体４内に結露水Ｃが溜まらないようにすることができる。
【００２２】
また、前記スチーム発生装置が停止しても、暫くの間スチームが発生し続ける。一方、スチーム流Ｓの勢いは、徐々に衰える。この状態で、前記スチーム通路３２内で結露水Ｃが発生して成長したとしても、前記ノズル６から結露水Ｃが勢いよく噴出することはない。そして、この状態で発生した結露水Ｃの水滴Ｂは、前記スリーブ２７の内周面２７Ａに沿って流下した後、前記第一導水部３５及び戻水部３７に沿って、前記本体２内に戻される。この際、前述したように、前記戻水部３７が常時下向きとなるように曲げられているので、重力によって、前記結露水Ｃの水滴Ｂを確実に前記本体２内に戻すことができる。
【００２３】
以上のように本発明は、本体２に設けられると共に仰角を調整可能なノズル６と、このノズル６におけるスチーム通路３２の最狭部３３の出口側に設けられた吸水体２８とを有するスチーム式美容器１において、前記スチーム通路３２の最狭部３３から前記吸水体２８へ結露水Ｃを導く導水体３４を設けたことにより、前記ノズル６のスチーム通路３２の最狭部３３に発生した結露水Ｃが大きな水滴Ｂとなる前に、スチーム流Ｓに押されて前記導水体３４に沿って前記スチーム通路３２の最狭部３３の出口側に設けられた前記吸水体２８に導かれ、この吸水体２８で吸収されるので、熱い結露水Ｃが勢いよく噴出して顔等にかかることを防止することができるものである。
【００２４】
また本発明は、前記スチーム通路３２の最狭部３３の内径よりも細い金属線を折り曲げて前記導水体３４を形成したことで、前記導水体３４を容易且つ安価に形成することができるものである。
【００２５】
また本発明は、前記導水体３４が、前記スチーム通路３２の内周面における使用時に常時下側となる部分に沿って前記スチーム通路３２と平行に配される第一導水部３５と、前記スチーム通路３２の最狭部３３の出口から使用時に常時下側となる方向に延びる第二導水部３６とを有して構成されることで、前記スチーム通路３２で発生した結露水Ｃが、前記最狭部３３である前記スリーブ２７の内周面２７Ａに沿って流下し、前記第一導水部３５に沿って前記最狭部３３から押し出された後、前記第二導水部３６に沿って流下し、前記吸水体２８に吸収されるので、結露水Ｃを確実に前記吸水体２８まで導くことができるものである。そして、結露水Ｃが、前記内周面２７Ａと前記第一導水部３５との間に形成された微細な溝状部Ｇに吸引保持されるので、前記導水部３４の周囲で結露水Ｃが大きな水滴Ｂに成長しにくく、熱い結露水Ｃが勢いよく噴出して顔等にかかることをより確実に防止することができるものである。
【００２６】
更に本発明は、前記スチーム通路３２の最狭部３３の入口側に、使用時に常時下側となる方向に、前記導水体３４の第一導水部３５の先端を曲げて戻水部３７を形成したことで、前記スチーム式美容器１の使用後、前記スチーム通路３２で発生した結露水Ｃを、前記内周面２７Ａに沿って流下させ、前記第一導水部３５に沿って前記最狭部３３から下向きの前記戻水部３７に沿って前記本体２内に戻すことができるものである。
【００２７】
なお、本発明は以上の実施形態に限定されるものではなく、発明の要旨の範囲内で種々の変形実施が可能である。例えば、上記実施形態では、前記第一導水部が一つだけ設けられているが、第一導水部を複数設けても良い。また、上記実施形態では、前記第一導水部が最狭部であるスリーブの内面に接触しているが、第一導水部を最狭部の内面に接触させず、第一導水部が微小な間隔を隔てて前記最狭部の内面に沿うようにしても良い。
【符号の説明】
【００２８】
１  スチーム式美容器
２  本体
６  ノズル
２７Ａ  内周面
２８  吸水体
３２  スチーム通路
３３  最狭部
３４  導水体
３５  第一導水部
３６  第二導水部
３７  戻水部
Ｃ  結露水
【図１】
2010253059.tif 000003
【図２】
2010253059.tif 000004
【図３】
2010253059.tif 000005
【図４】
2010253059.tif 000006
【図５】
2010253059.tif 000007
【図６】
2010253059.tif 000008
【図７】
2010253059.tif 000009
【図８】
2010253059.tif 000010
【図９】
2010253059.tif 000011
【図１０】
2010253059.tif 000012
【図１１】
2010253059.tif 000013